(57)【要約】【課題】  紙地図とＰＤＡに表示する地図を関連付けて表示するようにした地図表示方法を提供する。【解決手段】  紙地図１に表示された地図２を電子データ化してＰＤＡ５に入力し、ＰＤＡ５の表示部６に表示するようにした地図表示方法であって、紙地図１を升目状に区画し、かつ縦軸及び横軸方向に異なる符合３，４を付して各区画部２ａ毎にアドレスを設定すると共に、アドレスをＰＤＡ５に入力することにより、表示部６に紙地図１上の区画部２ａを表示するようにしたもので、登山や観光等の際ＰＤＡ５の表示部６に表示された地図を見ながら行動できるため、途中で道に迷うことがほとんどない上、紙地図１のように、折り畳まれた地図をその都度広げて現在位置を確認したり、目的地までのルートを再確認する等の作業が不要となる。【選択図】  図２
2006259288.tif 000002
【特許請求の範囲】
【請求項１】
紙地図に表示された地図を電子データ化してＰＤＡに入力し、前記ＰＤＡの表示部に表示するようにした地図表示方法であって、前記紙地図を升目状に区画し、かつ縦軸及び横軸方向に異なる符合を付して、各区画部毎に前記符号によりアドレスを設定すると共に、前記アドレスを前記ＰＤＡに入力することにより前記表示部に、前記紙地図上の前記区画部を表示することを特徴とする地図表示方法。
【請求項２】
前記表示部に、複数のアイコンにより形成されたメニュー表示部を設け、かつ前記アイコンを入力ペンにより１クリックすると、そのアイコンの機能説明を前記表示部に表示し、２クリックすると選択したメニューを実行するようにしてなる請求項１に記載の地図表示方法。
【請求項３】
前記表示部にアドレス表示部を設けて、前記アドレス表示部に前記表示部に表示された前記区画部のアドレスを表示してなる請求項１または２に記載の地図表示方法。
【請求項４】
前記アドレス表示部に前記紙地図と同様な升目を表示して、前記表示部に表示させた前記区画部の該当個所を、前記升目上に着色表示してなる請求項１または２に記載の地図表示方法。
【請求項５】
前記表示部に表示させた前記升目状区画部の任意個所を入力ペンでクリックすることにより、その区画部を前記表示部に表示してなる請求項４に記載の地図表示方法。
【発明の詳細な説明】
【技術分野】
【０００１】
本発明は、紙に印刷した地図（紙地図）と携帯情報端末（ＰＤＡ）に表示する地図を関連付けて表示する地図表示方法に関する。
【背景技術】
【０００２】
従来登山地図や観光案内地図等の多くは紙地図が使用されており、紙地図は広域地図が表示できるため、例えば登山地図の場合登山ルート等の設定が容易に行える利点がある。
また観光案内地図の場合、行きたい観光地を調べたり、観光地へ行くルートの設定が容易に行える利点がある。
反面紙地図は、地図自体が大きいため折り畳んだ状態で携帯する必要があり、折り畳んだ紙地図は、広げないと目的とする場所が見られないため、地図を見るのに手間がかかると共に、紙地図を広げるための場所がない場合は、折り畳んだ状態で目的する場所をさがさなければならないため、探すのに時間がかかる等の欠点がある。
【０００３】
一方最近普及しているＰＤＡは、パーソナルコンピューター（パソコン）に接続して地図データをダウンロードしたり、予め地図データを記憶させたメモリカード等の記録媒体を装着することにより、画面上に地図を表示できるようになっており、ＧＰＳ機能が付いたＰＤＡでは、画面表示された地図上に自分の位置（自己位置）を表示することもできるため、登山地図や、観光案内地図を表示させて登山や観光を行えば、道に迷うこともほとんどなくなる等の効果が得られる。
反面ＰＤＡは表示部の画面サイズが小さいため、地図を表示した場合、表示範囲が限定される問題がある。
かかる問題を改善するため、例えば特許文献１に、地図等の表示画面上で、拡大表示したいエリアを指や入力ペン等で触れながら円を描いて囲むと、そのエリアが丁度画面に収まるように拡大表示されるようにした表示方法が記載されている。
【特許文献１】特開２００４−２８０７４５号公報
【発明の開示】
【発明が解決しようとする課題】
【０００４】
しかし前記特許文献１に記載された表示方法では、例えば登山地図や観光案内地図のような広域地図をＰＤＡの表示部に表示した場合、画面が小さ過ぎて登山ルートや観光ルートを設定することは困難であり、地図を拡大してしまうと地図全体が見られなくなるため、さらに登山ルートや観光ルートを設定することが困難になる問題がある。
本発明はかかる問題を改善するためになされたもので、紙地図とＰＤＡに表示する地図を関連付けて表示するようにした地図表示方法を提供して、登山や観光等の際に道に迷うのを未然に防止することを目的とするものである。
【課題を解決するための手段】
【０００５】
本発明の地図表示方法は、紙地図に表示された地図を電子データ化してＰＤＡに入力し、ＰＤＡの表示部に表示するようにした地図表示方法であって、紙地図を升目状に区画し、かつ縦軸及び横軸方向に異なる符合を付して、各区画部毎に符号によりアドレスを設定すると共に、アドレスをＰＤＡに入力することにより表示部に、紙地図上の区画部を表示するようにしたものである。
【０００６】
前記方法により、紙地図を見ながら登山や観光旅行の計画をし、その際に作成した計画書をデータ化してＰＤＡに取り込むことにより、登山や観光等の際ＰＤＡの表示部に表示された地図を見ながら行動できるため、途中で道に迷うことがほとんどない上、紙地図のように、折り畳まれた地図をその都度広げて現在位置を確認したり、目的地までのルートを再確認する等の作業が不要となるため、登山や観光等を十分に楽しむことができる。
【０００７】
本発明の地図表示方法は、表示部に複数のアイコンにより形成されたメニュー表示部を設け、かつアイコンを入力ペンにより１クリックすると、そのアイコンの機能説明を表示部に表示し、２クリックすると選択したメニューを実行するようにしたものである。
【０００８】
前記方法により、メニューのアイコンをマニュアルで確認することなくＰＤＡを操作ができるため、登山や観光等に操作マニュアルを持参する必要がなくなり、これによって登山や観光等の際の荷物を削減できるようになる。
【０００９】
本発明の地図表示方法は、表示部にアドレス表示部を設けて、アドレス表示部に表示部に表示された区画部のアドレスを表示するようにしたものである。
【００１０】
前記方法により、ＰＤＡの表示部に表示された地図では部分的過ぎて自身がどこにいるのか不明となった場合は、表示部のアドレス表示部に表示されたアドレスにより紙地図上の区画部を参照することにより、自身がどこにいるかが容易に判断できる上、周囲の山や川の名称や地名等が判読できるようになるため、登山や観光等がさらに楽しいものとなる。
【００１１】
本発明の地図表示方法は、アドレス表示部に紙地図と同様な升目を表示して、表示部に表示させた区画部の該当個所を、升目上に着色表示するようにしたものである。
【００１２】
前記方法により、紙地図上のどの区画部にいるかが視覚的に判断できるようになると共に、隣接する区画部を表示させたい場合は、着色表示部に隣接する升目を入力ペンでタッチするだけで隣接区画を表示することができるため、操作がさらに容易となる。
【００１３】
本発明の地図表示方法は、表示部に表示させた升目状区画部の任意個所を入力ペンでクリックすることにより、その区画部を表示部に表示するようにしたものである。
【００１４】
前記方法により、希望する区画部を瞬時に表示部に表示させることができるため、利便性がさらに向上する。
【発明の効果】
【００１５】
本発明の地図表示方法によれば、登山や観光等の際ＰＤＡの表示部に表示された地図を見ながら行動できるため、途中で道に迷うことがほとんどない上、紙地図のように、折り畳まれた地図をその都度広げて現在位置を確認したり、目的地までのルートを再確認する等の作業が不要となるため、登山や観光等を十分に楽しむことができる。
【発明を実施するための最良の形態】
【００１６】
本発明の実施の形態を、図面を参照して詳述する。
図１は紙地図の展開図、図２はＰＤＦの正面図、図３は地図表示方法の変形例を示す説明図である。
図１に示す紙地図１は、例えばＡ０サイズの用紙のほぼ全面に地図２を印刷またはＰＣからプリントアウトしたもので、登山地図の場合は山岳地が、観光案内地図の場合は観光地が地図表示されている。
紙地図１に表示された地図２は、周囲に余白１ａを残して全体が縦線１ｂと横線１ｃにより升目状に区画されていて、縦軸の余白１ａには、各区画部２ａ毎に例えばアルファベットで符号３が付されており、横軸の余白１ａには、各区画部２ａ毎に例えば数字で符号４が付されており、縦軸と横軸の交点に位置する区画部２ａのアドレスが符号３，４から、例えば、Ｅ３のように設定されている。
【００１７】
一方ＰＤＡ５は図２に示すように、前面パネル５ａに液晶表示器よりなる表示部６と、その下側に操作キー群７が設けられている。
表示部６はタッチパネルを兼ねていて、入力ペンで触れることにより各種機能が実行できるようになっており、表示部６の例えば左下部にメニュー表示部８が、そして右下部にアドレス表示部９が表示されている。
メニュー表示部８には、各種メニューが複数のアイコン８ａにより表示されていて、メニューのアイコン８ａを入力ペンで１クリックすると、そのメニューの機能説明文が表示部６に表示され、２クリックするとそのメニューが実行できるようになっている。
メニュー表示部８に表示されるメニューとしては、ＧＰＳ機能を有するＰＤＡの場合は、ＧＰＳを表示するアイコン８ａの他に、地図を見る上で必要な例えば「地図を表示する」や、「地図をプリントする」、「目的地へ向け出発する」、「時間の設定と修正」等がアイコン表示されている。
【００１８】
またメニュー表示部８に表示されたメニューのアイコン８ａは多数あることから、機能を憶える必要がないように、メニューのアイコン８ａを入力ペンで１クリックすると、その機能説明文が表示部６に表示され、２クリックすると、アイコン８ａに設定されたメニューが実行されるようになっている。
表示部６の下側に設けられた操作キー群７は、ＰＤＡ５の操作に必要な機能キー７ａや十字キー７ｂ等から構成されていて、例えば表示部６にキーボードを表示したり、表示部６に表示された地図やカーソルをスクロールできるようになっており、ＰＤＡ５を図示しないパソコンに接続することにより、予めパソコンに入力した地図データや、登山計画等のデータが直接ダウンロードできるようになっている。
またパソコンより地図データをダウンロードしたメモリカード等の記録媒体（図示せず）をＰＤＡ５に装着することによっても、地図データがＰＤＡ５で利用できるようになっている。
ＰＤＡ５で使用する地図データは、紙地図１に表示された地図と、縦横線１ｂ、１ｃで升目状に区画された区画部２ａ及びそのアドレスがデジタルデータ化されていて、地図表示プログラムに組み込まれており、地図表示プログラムと共にＰＤＡ５に取り込まれるようになっている。
【００１９】
次に前記紙地図１及びＰＤＡ５を使用して地図を表示する方法を説明する。
紙地図１を使用して例えば登山計画を作成する場合、紙地図１を広げて登山ルートを設定するが、このとき登山ルートで通る紙地図１の区画部２ａを、そのアドレス毎に登山計画書にメモしておけば、さらに容易に目的とする区画部２ａをＰＤＡ５の表示部６に表示可能となる。
またパソコンが使用できる環境にある場合は、パソコンに登山地図を表示させて登山ルートを設定し、出発時間や途中通過時間、到着時間等の予定時刻やその他のデータを記入した登山計画書を作成し、その登山計画書を地図データとともにＰＤＡ５に直接ダウンロードするか、記録媒体にダウンロードした後、記録媒体をＰＤＡ５に装着して使用するようにしてもよい。
【００２０】
実際の登山に当たっては、ＰＤＡ５とともに紙地図１も持参する。
出発点に到着したら、紙地図１で出発地点を確認し、出発地点に当たる地図の区画部２ａをアドレスでＰＤＡ５に入力する。
ＰＤＡ５にアドレスを入力する場合は、ＰＤＡ５の操作キー群７から機能キー７ａを操作して表示部６上にキーボードを表示させ、キーボードを入力ペンでタッチしてアドレスを入力するもので、例えば紙地図１上のアドレスがＥ３の区画部２ａを表示させる場合は、キーボードからＥ３と入力する。
予め登山計画書の出発地点にアドレスをメモ書きしてある場合は、そのアドレスをキーボードより入力すれば、紙地図１を広げて出発地点のアドレスを読み出す必要がない。
キーボードよりアドレスを入力した後、キーボードを消去すると、入力したアドレスの区画部２ａが図２に示すように表示部６に表示され、また表示部６右下部に設けられたアドレス表示部９に区画部２ａのアドレス「Ｅ３」が表示される。
【００２１】
またＰＤＡ５にＧＰＳ機能がある場合は、表示された地図上に自己位置がカーソルにより重ねて表示され、出発時間等が予め設定してある場合は、メニュー表示部８のメニューアイコン８ａにタッチすることにより出発時間が表示される。
メニュー表示部に表示されたアイコン８ａの機能が分からない場合は、アイコン８ａを１クリックすると、アイコンの機能説明が表示部６に表示されるので、マニュアルが手元にない場合でも、アイコン８ａを操作してＰＤＡ５を使いこなすことが可能になる。
【００２２】
一方ＰＤＡ５の表示部６に表示された地図画像を参照して登山を開始するのに伴い、地図上にカーソルで表示された自己位置も移動するので、地図上のどの位置を移動しているかが表示部６を見ることにより容易に把握できると共に、自己位置が表示部６に表示された地図の端に達した場合は、十字キー７ｂを使用して地図をスクロールさせる。
これによって現在表示されている地図に隣接した区画部２ａの地図が表示部６に表示されるとともに、その区画部２ａのアドレスがアドレス表示部９に表示される。
以下前記操作を繰り返して登山を続けるが、地図のスクロールを繰り返している間に、自身が地図上のどこの場所に居るかが把握できなくなる場合がある。
また自己位置の周囲に遠望する山や川等の名称や地名を知りたい場合も生じる。このような場合は紙地図１を広げて、表示部６のアドレス表示部９に表示されたアドレスから、現在表示部６に表示されている地図の区画部２ａが紙地図１上のどの位置にあるか確認する。
これによって紙地図１上の自己位置が把握できるので、その位置から見える山や川を紙地図１で確認することにより、山や川の名称、地名等を容易に知ることができるため、登山の楽しみも倍増する。
【００２３】
以上は紙地図１を使用して登山を計画したり、登山をした場合の地図の表示方法であるが、観光案内地図等の紙地図１を使用して観光地を調べたり、観光計画書を作成する場合も同様な操作で、ＰＤＡ５の表示部６に表示された地図を見ながら観光することもできる。
例えば観光案内地図よりなる紙地図１により観光地を選定したら、観光地までの行き方、利用する乗り物、出発時間等をメモした観光計画書を作成する。
パソコンが使用できる環境にある場合は、パソコンのモニタに観光地図を表示させて、行きたい観光地や利用する乗物、出発時間等のデータを入力して、観光計画データを作成する。
パソコンで作成したデータは、ＰＤＡ５に直接ダウンロードするか、一旦記録媒体にダウンロードした後ＰＤＡ５に取り込む。
【００２４】
次にＰＤＡ５とともに紙地図１を旅行に携帯して、前記登山時と同様にＰＤＡ５の表示部６に表示させた紙地図１上のアドレスに相当する区画部２ａを見ながら移動することにより、道に迷うことなく目的地に到達することができるようになる。
特に観光案内地図の場合、登山地図に比べて紙地図１上に表示された地図２の範囲が狭いため、区画部２ａを拡大してＰＤＡ５の表示部６へ表示することができるため、図２に示すように鉄道や駅、道路、地名等まで細かく表示できる上、ＧＰＳ機能を利用することにより、表示部６に表示された地図上に自己位置をカーソルで表示することもできる。
また表示部６に表示された地図の端に達したら、十字キー７ｂを使用して地図をスクロールすることにより、隣接した区画部２ａへの移動が簡単に行えると同時に、区画部２ａのアドレスがアドレス表示部９に表示されるので、自身が紙地図１上のどの位置にいるかも容易に把握できるようになる。
【００２５】
なお前記実施の形態では、紙地図１上の区画部２ａのアドレスを、ＰＤＡ５の表示部６のアドレス表示部９に符号で表示したが、図３に示す変形例のように、アドレス表示部９に、紙地図１と同様な升目を表示して、現在表示部６に表示されている区画部２ａのアドレスを、升目の一部を例えば赤色で表示してもよく、現在表示されている区画部２ａから隣接する区画部２ａへ移動する場所は、赤色表示された升目の隣を入力ペンでタッチすることにより、十字キー７ｂによるスクロールを使用せずに隣接区画部２ａを表示できるようにしてもよい。
また升目の任意な個所を入力ペンでタッチすることにより、任意な場所の区画部２ａをＰＤＡ５の表示部６に表示させることも可能になる。
【図面の簡単な説明】
【００２６】
【図１】本発明の実施の形態になる地図表示方法に使用する紙地図の展開図である。
【図２】本発明の実施の形態になる地図表示方法に使用するＰＤＡの正面図である。
【図３】本発明の実施の形態になる地図表示方法の変形例を示す説明図である。
【符号の説明】
【００２７】
１    紙地図
２    地図
２ａ    区画部
３    符号
４    符号
５    ＰＤＡ
６    表示部
７    操作キー群
８    メニュー表示部
９    アドレス表示部
【図１】
2006259288.tif 000003
【図２】
2006259288.tif 000004
【図３】
2006259288.tif 000005